【手続補正書】
【提出日】平成19年4月11日(2007.4.11)
【手続補正１】
【補正対象書類名】明細書
【補正対象項目名】特許請求の範囲
【補正方法】変更
【補正の内容】
【特許請求の範囲】
【請求項１】  所定の商材及び／又はサービスの利用に応じて付与され又は所定の利用者から購入することにより、上記利用者の会員としての顧客が取得したポイントを分配するポイント分配システムであって、
上記顧客の属性及び上記現在のポイント残高をデータベースとして格納して管理する情報処理装置と、
上記利用者が所持するものであり、上記顧客に対して配布した本人認証媒体に基づいて、所定のネットワークを介して接続された上記情報処理装置にアクセスし、少なくとも当該顧客の属性と現在のポイント残高とを読み出す業務を行う利用者用端末と、
上記顧客が所持する携帯電話端末とを備え、
上記情報処理装置は、上記顧客が取得した上記ポイントと上記商材及び／又は上記サービスとを関連付け、上記顧客による上記ポイントの取得又は使用に応じて、上記ポイントの加減算処理を行うとともに、上記携帯電話端末を介した上記顧客の要求に応じて、当該顧客が保有しているポイントの少なくとも一部を他の顧客に対して分配し、当該顧客が保有するポイントの減算処理を行うとともに、ポイントの譲渡先としての当該他の顧客が保有するポイントの加算処理を行い、新たに上記現在のポイント残高として上記データベースに格納して管理する手段を有すること
を特徴とするポイント分配システム。
【請求項２】  上記情報処理装置は、上記携帯電話端末を介した上記顧客の要求に応じて、ポイントの授受を行うための所定の画面へのリンクを記載したメールを上記携帯電話端末に対して送信する送信手段を有し、
上記携帯電話端末は、上記情報処理装置からのメールを受信すると、当該メールに記載されたリンク先のアドレスに対してアクセスし、上記顧客に少なくとも譲渡するポイント数と譲渡先とを示す情報を入力させる手段を有すること
を特徴とする請求項１記載のポイント分配システム。
【請求項３】  上記携帯電話端末は、上記情報処理装置に対して本文を記載しない空メールを送信する手段を有し、
上記情報処理装置の送信手段は、上記携帯電話端末からの空メールを受信すると、上記メールを上記携帯電話端末に対して送信すること
を特徴とする請求項２記載のポイント分配システム。
【請求項４】  上記携帯電話端末は、上記顧客が会員登録を希望する場合に、上記情報処理装置に対して本文を記載しない空メールを送信する手段を有し、
上記情報処理装置は、上記携帯電話端末からの空メールを受信すると、会員として登録するための所定の画面へのリンクを記載したメールを上記携帯電話端末に対して送信する手段を有すること
を特徴とする請求項１記載のポイント分配システム。
【請求項５】  上記携帯電話端末は、上記情報処理装置からのメールを受信すると、当該メールに記載されたリンクを介してアクセスし、上記顧客に少なくとも当該顧客の属性を示す情報を入力指定させる手段を有すること
を特徴とする請求項４記載のポイント分配システム。
【請求項６】  上記利用者用端末は、上記利用者に関する情報を掲載する携帯電話端末によって閲覧可能なホームページを作成する手段を有し、
上記情報処理装置は、上記利用者用端末によって作成された上記ホームページを上記データベースとして格納し、上記携帯電話端末からの上記ホームページの閲覧要求アクセスに応じて、上記ホームページを読み出す手段を有すること
を特徴とする請求項１記載のポイント分配システム。
【請求項７】  上記利用者用端末は、上記情報処理装置に対してアクセスし、上記利用者に、作成しようとするページに関する情報を入力指定させる手段を有すること
を特徴とする請求項６記載のポイント分配システム。
【請求項８】  上記ホームページは、複数の階層に階層化されたページ番号が各ページに固有に割り当てられた構造を呈するものであること
を特徴とする請求項６記載のポイント分配システム。
【請求項９】  上記利用者用端末は、上記携帯電話端末に対して配信するメールを作成する手段を有し、
上記情報処理装置は、上記利用者用端末によって作成された上記メールを上記携帯電話端末に対して配信する配信手段を有すること
を特徴とする請求項１記載のポイント分配システム。
【請求項１０】  上記利用者用端末は、上記情報処理装置に対してアクセスし、上記利用者に、配信しようとするメール内容に関する情報を入力指定させる手段を有すること
を特徴とする請求項９記載のポイント分配システム。
【請求項１１】  上記情報処理装置の配信手段は、上記利用者用端末によって指定された日時に上記メールを上記携帯電話端末に対して配信すること
を特徴とする請求項１０記載のポイント分配システム。
【請求項１２】  上記利用者は、ＷＡＳＰサービスを利用契約したものであり、
上記情報処理装置は、上記ＷＡＳＰサービスを提供するデータセンタに設けられること
を特徴とする請求項１記載のポイント分配システム。
【手続補正２】
【補正対象書類名】明細書
【補正対象項目名】００１３
【補正方法】変更
【補正の内容】
【００１３】
【課題を解決するための手段】
上述した目的を達成する本発明にかかるポイント分配システムは、所定の商材及び／又はサービスの利用に応じて付与され又は所定の利用者から購入することにより、上記利用者の会員としての顧客が取得したポイントを分配するポイント分配システムであって、上記顧客の属性及び上記現在のポイント残高をデータベースとして格納して管理する情報処理装置と、上記利用者が所持するものであり、上記顧客に対して配布した本人認証媒体に基づいて、所定のネットワークを介して接続された上記情報処理装置にアクセスし、少なくとも当該顧客の属性と現在のポイント残高とを読み出す業務を行う利用者用端末と、上記顧客が所持する携帯電話端末とを備え、上記情報処理装置は、上記顧客が取得した上記ポイントと上記商材及び／又は上記サービスとを関連付け、上記顧客による上記ポイントの取得又は使用に応じて、上記ポイントの加減算処理を行うとともに、上記携帯電話端末を介した上記顧客の要求に応じて、当該顧客が保有しているポイントの少なくとも一部を他の顧客に対して分配し、当該顧客が保有するポイントの減算処理を行うとともに、ポイントの譲渡先としての当該他の顧客が保有するポイントの加算処理を行い、新たに上記現在のポイント残高として上記データベースに格納して管理する手段を有することを特徴としている。
【手続補正３】
【補正対象書類名】明細書
【補正対象項目名】００１５
【補正方法】変更
【補正の内容】
【００１５】
ここで、本発明にかかるポイント分配システムにおいて、上記情報処理装置は、上記携帯電話端末を介した上記顧客の要求に応じて、ポイントの授受を行うための所定の画面へのリンクを記載したメールを上記携帯電話端末に対して送信する送信手段を有し、上記携帯電話端末は、上記情報処理装置からのメールを受信すると、当該メールに記載されたリンク先のアドレスに対してアクセスし、上記顧客に少なくとも譲渡するポイント数と譲渡先とを示す情報を入力させる手段を有する。このとき、上記携帯電話端末は、上記情報処理装置に対して本文を記載しない空メールを送信する手段を有し、上記情報処理装置の送信手段は、上記携帯電話端末からの空メールを受信すると、上記メールを上記携帯電話端末に対して送信する。これにより、本発明にかかるポイント分配システムにおいては、顧客と他の顧客との間でポイントの授受を行うことができる。
【手続補正４】
【補正対象書類名】明細書
【補正対象項目名】００１６
【補正方法】変更
【補正の内容】
【００１６】
また、本発明にかかるポイント分配システムにおいて、上記携帯電話端末は、上記顧客が会員登録を希望する場合に、上記情報処理装置に対して本文を記載しない空メールを送信する手段を有し、上記情報処理装置は、上記携帯電話端末からの空メールを受信すると、会員として登録するための所定の画面へのリンクを記載したメールを上記携帯電話端末に対して送信する手段を有する。そして、上記携帯電話端末は、上記情報処理装置からのメールを受信すると、当該メールに記載されたリンクを介してアクセスし、上記顧客に少なくとも当該顧客の属性を示す情報を入力指定させる手段を有する。これにより、本発明にかかるポイント分配システムにおいては、顧客を利用者の会員として登録することができる。
【手続補正５】
【補正対象書類名】明細書
【補正対象項目名】００１７
【補正方法】変更
【補正の内容】
【００１７】
さらに、本発明にかかるポイント分配システムにおいて、上記利用者用端末は、上記利用者に関する情報を掲載する携帯電話端末によって閲覧可能なホームページを作成する手段を有し、上記情報処理装置は、上記利用者用端末によって作成された上記ホームページを上記データベースとして格納し、上記携帯電話端末からの上記ホームページの閲覧要求アクセスに応じて、上記ホームページを読み出す手段を有する。このとき、上記利用者用端末は、上記情報処理装置に対してアクセスし、上記利用者に、作成しようとするページに関する情報を入力指定させる手段を有する。これにより、本発明にかかるポイント分配システムにおいては、利用者から顧客に対して広告等の各種情報を携帯電話端末を介して報知することが可能となる。
【手続補正６】
【補正対象書類名】明細書
【補正対象項目名】００１９
【補正方法】変更
【補正の内容】
【００１９】
さらにまた、本発明にかかるポイント分配システムにおいて、上記利用者用端末は、上記携帯電話端末に対して配信するメールを作成する手段を有し、上記情報処理装置は、上記利用者用端末によって作成された上記メールを上記携帯電話端末に対して配信する配信手段を有する。このとき、上記利用者用端末は、上記情報処理装置に対してアクセスし、上記利用者に、配信しようとするメール内容に関する情報を入力指定させる手段を有する。これにより、本発明にかかるポイント分配システムにおいては、利用者から顧客に対して広告等の各種情報を携帯電話端末を介して報知することが可能となる。
【手続補正７】
【補正対象書類名】明細書
【補正対象項目名】００２０
【補正方法】変更
【補正の内容】
【００２０】
なお、上記情報処理装置の配信手段は、上記利用者用端末によって指定された日時に上記メールを上記携帯電話端末に対して配信することもできる。これにより、本発明にかかるポイント分配システムにおいては、メールを配信する利用者及びメールを受信する顧客の双方の利便を向上させることができる。